(57)【要約】【課題】  各種木構造において、梁などの主材の中間に補強材を取り付けることができ、また両材の交角を考慮することなく汎用的に使用可能で、しかも信頼性にも優れた締結構造を提供すること。【解決手段】  主材４１に埋め込む内側ラグスクリュー２１および外側ラグスクリュー２３と、これらと接触しながら主材４１の表面に固定される係留具１１と、係留具１１に補強材５１を取り付ける接合手段と、を用いた締結構造により、主材４１の端部や中間など、あらゆる位置に補強材５１を締結できる。さらに、主材４１の表面に対し直交する内側ラグスクリュー２１と、表面に対して傾斜する外側ラグスクリュー２３を併用することで、あらゆる条件において、両ラグスクリュー２１、２３を介して荷重が広範囲に分散され、応力集中による主材４１の割れなどを防止でき、また係留具１１が押圧されて主材４１に陥没することも防止できる。【選択図】      図１
2015166520.tif 000002
【特許請求の範囲】
【請求項１】
棒状の主材（４１）に補強材（５１又は５２）を取り付けるために用いる締結構造であって、
前記主材（４１）の表面に接触する中央板（１５）と、該中央板（１５）の端部から斜方向に突出する傾斜板（１７）と、前記主材（４１）と対向する側に伸びる接続板（１６）と、からなる係留具（１１又は１２又は１３）と、
前記主材（４１）に埋め込む複数本のラグスクリュー（２１、２２、２３）と、
を用い、
前記係留具（１１又は１２又は１３）と前記ラグスクリュー（２１、２２、２３）は、ボルト（３７）またはナット（３８）で一体化され、
前記補強材（５１又は５２）は、接合手段を介して前記接続板（１６）に取り付け、
前記ラグスクリュー（２１、２２、２３）は、前記中央板（１５）の下面から直角方向に埋め込む内側ラグスクリュー（２１又は２２）と、前記傾斜板（１７）から伸びる法線に沿って埋め込む外側ラグスクリュー（２３）と、からなり、
前記内側ラグスクリュー（２１又は２２）の後端部は前記中央板（１５）に接触し、前記外側ラグスクリュー（２３）の後端部は前記傾斜板（１７）に接触していることを特徴とする締結構造。
【請求項２】
前記傾斜板（１７）は、前記中央板（１５）の端部から二枚が対向するように突出しており、
前記外側ラグスクリュー（２３）は、前記内側ラグスクリュー（２１又は２２）を挟み込むように「ハ」の字状に埋め込んであることを特徴とする請求項１記載の締結構造。
【発明の詳細な説明】
【技術分野】
【０００１】
本発明は、木造建築を始めとする各種木構造において、梁などの主材に筋交いなどの補強材を取り付けるための締結構造に関する。
【背景技術】
【０００２】
木造建築では、柱や梁などの棒材で構成された骨格の強度を高めるため、二本の棒材の間に筋交いを配置することが多い。棒材と筋交いは斜方向に接触するため、製材や施工が複雑化しやすく、不適切な作業を招く恐れがある。そのため筋交いの取り付けに関しては、施工作業などを簡素化でき、しかも強度にも優れた専用の金具の開発が古くから進められており、その例として後記特許文献が挙げられる。
【０００３】
特許文献１では、建築物などに用いる筋違緊定具が開示されている。この文献では、縦架材と横架材で枠組が構成され、その対角線上に筋違ボルト（テンションロッド）を配置することが示され、筋違ボルトの端部は、筋違緊定具で固定される。筋違緊定具は、縦架材や横架材と面接触する二箇所の取付部と、取付部同士を結ぶ円弧状の曲面部などを備え、曲面部で筋違ボルトの端部を固定する。そして筋違ボルトの傾斜角度に対する柔軟性を確保するため、曲面部に長孔を形成してある。また取付部は、ボルトを介して縦架材と横架材の双方に固定され、あらゆる方向の荷重に対抗できる。
【０００４】
特許文献２では、筋交いを固定するための沓金物式筋交金物が開示されている。この金物は、鉛直材と横架材との接合部に接触するＬ字状の第１金具と、筋交いの端部を挟み込むように配置される第２金具で構成され、両金具は一本のボルトを介して連結され、第２金具は、このボルトを軸として自在に揺動できる。さらに第２金具には、筋交いに張力を与えるため、引き寄せ機構を備えている。筋交いに張力を与えることで、鉛直材と横架材との接合部などの緩みやガタツキが解消され、初期剛性が高まるほか、荷重耐性も向上する。
【先行技術文献】
【特許文献】
【０００５】
【特許文献１】実公昭３１−０１８２１８号公報
【特許文献２】特開２０００−７３４４６号公報
【発明の概要】
【発明が解決しようとする課題】
【０００６】
近年は、集成材の性能向上に伴い、大型の木製トラスなども無理なく製造できるようになり、木造建築物の大型化が実現している。木製トラスは、平行に並ぶ二本の主材の間に補強材を連続的に配置した構成で、補強材は、主材に対して斜方向に配置される。補強材は、主材の端部のほか中間にも配置されることから、主材と補強材の締結には、前記特許文献で開示された金具類をそのまま転用することはできない。
【０００７】
各種木構造において、主材（梁など）の中間と、補強材（筋交いなど）の端部を締結することは多い。主材と補強材の交角は様々だが、交角が小さい場合、補強材に作用した軸力により、主材の長手方向に大きな荷重が作用する。この荷重は、主材に打ち込まれた釘などで受け止められるが、木材は木目方向（主材の長手方向）に沿って割れやすく、荷重や経年変形で釘が緩み、両材の締結が維持できなくなる恐れがある。
【０００８】
これとは逆に、主材と補強材の交角が大きい場合、釘などの抜けや主材の変形により、締結部に緩みを生じる恐れがある。このように、主材と補強材の交角により、強度上考慮すべき点は異なるが、設計の手間や部品調達の観点から、両材の締結構造に関しては、交角を考慮する必要のない汎用性を有することが好ましい。
【０００９】
本発明はこうした実情を基に開発されたもので、主材の中間に補強材を取り付けることができ、また両材の交角を考慮することなく汎用的に使用可能で、しかも信頼性にも優れた締結構造の提供を目的としている。
【課題を解決するための手段】
【００１０】
前記の課題を解決するための請求項１記載の発明は、棒状の主材に補強材を取り付けるために用いる締結構造であって、前記主材の表面に接触する中央板と、該中央板の端部から斜方向に突出する傾斜板と、前記主材と対向する側に伸びる接続板と、からなる係留具と、前記主材に埋め込む複数本のラグスクリューと、を用い、前記係留具と前記ラグスクリューは、ボルトまたはナットで一体化され、前記補強材は、接合手段を介して前記接続板に取り付け、前記ラグスクリューは、前記中央板の下面から直角方向に埋め込む内側ラグスクリューと、前記傾斜板から伸びる法線に沿って埋め込む外側ラグスクリューと、からなり、前記内側ラグスクリューの後端部は前記中央板に接触し、前記外側ラグスクリューの後端部は前記傾斜板に接触していることを特徴とする締結構造である。
【００１１】
本発明は、木造建築を始めとする各種木構造において、トラスの構築や筋交いの取り付けなどで用いられ、主材と補強材を締結するためのもので、主材は、木製（各種集成材を含む）に限定される。対して補強材は、木製に限定されることはなく、テンションロッドやワイヤーなどを用いることもできる。補強材は、主材の剛性向上や変形量の抑制などの役割を果たし、通常、筋交いやブレースと称される。また木製トラスにおいては、補強材で平行に並ぶ二本の主材を結び付ける。
【００１２】
係留具は、主材の表面に固定される金具で、主材の表面に接触する中央板と、この中央板の端部から斜方向に突出する傾斜板と、主材から遠ざかる方向に伸びる接続板で構成される。中央板は、主材と密着できるよう、単純な平面状とする。また傾斜板は、当然ながら主材から遠ざかる方向に突出する。なお中央板と傾斜板の交角は、３０度から６０度程度とする。そのほか接続板は、一枚となることもあれば、二枚が平行に並ぶこともある。
【００１３】
ラグスクリューは金属製の円柱形で、主材の中に埋め込まれ、その側周面には、螺旋状に伸びる凸条を形成してある。凸条を主材の内部に食い込ませることで、ラグスクリューが主材と強固に一体化するほか、凸条が主材を拘束するため、割れや経年変形を抑制できる。さらに、ラグスクリューに作用する軸線方向の荷重は、凸条全体を介して主材に伝達するため、主材に作用する応力が緩和され、割れなどを抑制できる。
【００１４】
係留具とラグスクリューは、ボルトまたはナットで一体化する。ラグスクリューの端面中央にメネジを形成してある場合、このメネジに向けて係留具からボルトを差し込む。逆に、ラグスクリューの端面中央からオネジが突出している場合、このオネジを係留具に差し込み、先端にナットを螺合させる。いずれの場合も係留具には、ボルトやオネジを差し込むため、孔を設ける必要がある。
【００１５】
接合手段は、係留具と補強材を一体化するためのもので、クレビスとピンなど、従来技術をそのまま流用する。仮に補強材の端部に二山クレビスを取り付けた場合、これで係留具の接続板を挟み込み、双方をピンで揺動自在に一体化する。なお接合手段は、各種従来技術を自在に流用可能だが、主材と補強材の交角の変化に追従できる構造を備えるものとする。
【００１６】
ラグスクリューは、その配置によって、内側ラグスクリューと外側ラグスクリューに区分される。内側ラグスクリューは、係留具の中央板の直下に埋め込み、主材の表面に対して直交する方向に伸びている。対して外側ラグスクリューは、係留具の傾斜板から伸びる法線に沿って埋め込むため、主材の表面に対して一定の交角を有する。なおラグスクリューの直径が大きい場合、あらかじめ主材に下穴を加工しておく。
【００１７】
内側ラグスクリューと外側ラグスクリューのいずれも、係留具と接触させるものとする。そのため内側ラグスクリューの後端部は、主材の表面と段差なく並べ、中央板と接触させる。また、斜方向に埋め込まれる外側ラグスクリューについては、その一部を主材の表面から突出させて、後端部を傾斜板と接触させる。内側ラグスクリューは、一枚の中央板に対して一本以上配置する。同様に外側ラグスクリューについても、一枚の傾斜板に対して一本以上配置する。なお、ラグスクリューの後端部の形状は様々で、係留具との接触形態も様々である。
【００１８】
このように、主材の表面に対して直交する方向に埋め込む内側ラグスクリューのほか、表面に対して斜方向に埋め込む外側ラグスクリューで係留具を固定することで、主材と補強材の交角が小さい場合には、主に外側ラグスクリューで荷重を受け止め、逆に交角が大きい場合には、主に内側ラグスクリューで荷重を受け止め、あらゆる条件において、ラグスクリューを介して荷重が広範囲に分散され、応力の集中による主材の割れや変形を防止できる。また、ラグスクリューと係留具が接触していることから、押圧荷重により係留具が主材に陥没することも防止できる。
【００１９】
請求項２記載の発明は、締結構造を一段と限定するもので、傾斜板は、中央板の端部から二枚が対向するように突出しており、外側ラグスクリューは、内側ラグスクリューを挟み込むように「ハ」の字状に埋め込んであることを特徴とする。傾斜板は、一枚の中央板に対して一枚でも構わないが、この発明のように、左右に対向して二枚とすることもできる。この場合、傾斜板は「ハ」の字を上下反転させた配置となる。さらに個々の傾斜板に対して外側ラグスクリューを埋め込むため、外側ラグスクリューは、「ハ」の字状の配置となる。
【００２０】
このように、二方向に外側ラグスクリューを埋め込むことで、補強材に荷重が作用した際、一方の外側ラグスクリューには、引き抜き方向に荷重が作用して、他方の外側ラグスクリューには、押圧方向に荷重が作用して、「ハ」の字状に配置された外側ラグスクリューの全体で荷重を受け止めることができる。そのため、主材に作用する応力が一段と緩和され、割れなどをより確実に防止できる。
【発明の効果】
【００２１】
請求項１記載の発明のように、主材に内側ラグスクリューおよび外側ラグスクリューを埋め込み、これらを利用して主材の表面に係留具を固定して、接合手段を介して補強材を係留具に取り付ける締結構造を用いることで、主材の端部や中間部など、あらゆる位置に補強材を締結することができる。
【００２２】
さらに、主材の表面に対して直交する方向に埋め込む内側ラグスクリューと、主材の表面に対して斜方向に埋め込む外側ラグスクリューを併用することで、主材と補強材の交角が小さい場合には、主に外側ラグスクリューで荷重を受け止め、逆に交角が大きい場合には、主に内側ラグスクリューで荷重を受け止める。そのため、交角を考慮する必要のない汎用性を有しており、あらゆる条件において、ラグスクリューを介して荷重が広範囲に分散され、応力の集中による主材の割れや変形を防止でき、信頼性に優れる。また、ラグスクリューと係留具が接触していることから、押圧荷重により係留具が主材に陥没することも防止できる。
【００２３】
請求項２記載の発明のように、一枚の中央板の左右両側から傾斜板を突出させて、外側ラグスクリューを「ハ」の字状に埋め込むことで、主材に対して斜方向に伸びる補強材に荷重が作用した際、一方の外側ラグスクリューには、引き抜き方向に荷重が作用して、他方の外側ラグスクリューには押圧方向に荷重が作用して、外側ラグスクリューの全体で荷重を受け止める。そのため、主材に作用する荷重が広範囲に分散され、割れや変形をより確実に防止できる。
【図面の簡単な説明】
【００２４】
【図１】本発明による締結構造の具体例を示す斜視図で、平行に並ぶ二本の主材の間に補強材を配置してトラスを構築している。
【図２】図１の各要素を一体化する途中段階を示す斜視図である。
【図３】図１の各要素を組み上げた状態を示す斜視図と縦断面図である。
【図４】補強材としてテンションロッドを用いた締結構造を示す斜視図である。
【図５】図４の各要素を組み上げた状態を示す斜視図である。
【図６】傾斜板が片側一枚だけの係留具を示す斜視図である。
【図７】補強材を二方向に配置した場合を示す斜視図である。
【発明を実施するための形態】
【００２５】
図１は、本発明による締結構造の具体例を示し、平行に並ぶ二本の主材４１の間に補強材５１を配置してトラスを構築している。主材４１と補強材５１は、いずれも木製（各種集成材を含む）だが、主材４１の方が大断面で、また上下の主材４１のいずれも、補強材５１との締結構造は全く同じで、主材４１に埋め込んだラグスクリュー２１、２３に係留具１１を取り付け、さらに一山クレビス３１を介して、補強材５１を係留具１１に取り付けている。
【００２６】
係留具１１は、主材４１の表面に接触する金属製で、曲げ加工や溶接によって製造される。係留具１１の下部は、一枚の鋼板を二箇所で屈曲させて形成され、そのうち主材４１の表面と平行に並ぶ箇所は、中央板１５と称し、対して、中央板１５の左右両端から斜め上方向に伸びる箇所は、傾斜板１７と称する。なお傾斜板１７は、載置された主材４１から遠ざかる方向に突出する。そして中央板１５と傾斜板１７の上面からは、接続板１６が上方に突出している。接続板１６は、同形状の物が二枚平行に並び、中央板１５などと溶接で一体化され、さらに接続板１６の上部には、ピン孔１９を設けてある。
【００２７】
ラグスクリュー２１、２３は、主材４１の表面に対して直交する方向に埋め込む内側ラグスクリュー２１と、主材４１の表面に対して交角を有する方向に埋め込む外側ラグスクリュー２３の二種類からなるが、いずれも同一形状で、埋め込む位置と方向が異なる。ラグスクリュー２１、２３は金属製で、円柱形の胴部２４の側周面には、螺旋状に伸びる凸条２５を形成してある。また一端面には、工具を掛けるための頭部２６を設けてあり、その中心には、メネジ２７を設けてある。そして主材４１の表面には、ラグスクリュー２１、２３を埋め込むため、あらかじめ下穴４３、４４を加工しておく。
【００２８】
下穴４３、４４は、係留具１１の形状に応じて加工してあり、中央板１５の中心と揃う下穴４３は、主材４１の表面から直角方向に伸びており、この中に内側ラグスクリュー２１を埋め込む。そしてこの下穴４３を挟み込むよう、別の下穴４４を「ハ」の字状に加工する。この下穴４４の軸線は、係留具１１を主材４１に載置した際、傾斜板１７の表面と直交し、さらに傾斜板１７の中央付近と交差するよう、位置と角度を調整する。なお下穴４３、４４の内径は、ラグスクリュー２１、２３の胴部２４の外径と同じで、凸条２５が下穴４３、４４の周面を削り、内部に食い込んでいく。
【００２９】
ラグスクリュー２１、２３と係留具１１は、ボルト３７で一体化する。そのため中央板１５および傾斜板１７には、ボルト３７の軸部を差し込むため、底孔１８を設けてある。底孔１８の位置は、埋め込まれたラグスクリュー２１、２３のメネジ２７と同心に揃える。なお図の係留具１１の底孔１８は、二枚の接続板１６の間に位置しており、ボルト３７は、この間に差し込んでいく。したがって二枚の接続板１６の間隔は、ボルト３７の頭部を無理なく収容できるよう配慮してあり、また締め付け作業を考慮して、ボルト３７は六角穴付きの物を使用している。
【００３０】
補強材５１を係留具１１に取り付ける接合手段には、一山クレビス３１と支点ピン３３を用いている。一山クレビス３１は、補強材５１の端部と一体化され、さらにその先端を二枚の接続板１６の間に差し込む。そしてピン孔１９から支点ピン３３を差し込み、接続板１６と一山クレビス３１を貫通させると、補強材５１は支点ピン３３を中心として揺動自在に固定される。
【００３１】
図２は、図１の各要素を一体化する途中段階を示している。内側ラグスクリュー２１は、主材４１の表面に対して直交する下穴４３に埋め込まれ、その後端面は、主材４１の表面と段差なく並んでいる。また外側ラグスクリュー２３は、斜方向に伸びる下穴４４に埋め込まれ、内側ラグスクリュー２１を左右から挟むように配置される。なお外側ラグスクリュー２３の後端部は、係留具１１の傾斜板１７に接触させる必要があり、その頭部２６のほか、胴部２４上方は、主材４１の表面から突出している。ただし凸条２５は、安全性の観点から全域を埋め込むことが好ましく、胴部２４上方には凸条２５を形成していない。
【００３２】
この図の係留具１１は、中央で切断した状態で描いてある。主材４１に接触する中央板１５の左右両端からは、上方に向けて傾斜板１７が突出しており、中央板１５および個々の傾斜板１７には、ボルト３７を差し込むための底孔１８を設けてある。当然ながら個々の底孔１８は、埋め込まれたラグスクリュー２１、２３のメネジ２７と同心に揃うよう、配慮されている。また接続板１６は、中央板１５と傾斜板１７を跨ぐように溶接で一体化してある。そのため中央板１５や傾斜板１７を拘束して、荷重による変形を抑え込む。
【００３３】
補強材５１は、接合手段を介して係留具１１に取り付ける。接合手段は、補強材５１の端部に固定する一山クレビス３１と、一山クレビス３１を接続板１６に取り付ける支点ピン３３で構成される。一山クレビス３１は、ネジ釘５５で補強材５１に固定され、さらに支点ピン３３により、接続板１６に対して揺動自在に保持される。なお接合手段に関しては、従来技術をそのまま導入すればよく、この図の形態に限定される訳ではない。
【００３４】
図３は、図１の各要素を組み上げた状態を示している。主材４１にはラグスクリュー２１、２３が埋め込まれ、そのうち外側ラグスクリュー２３は斜方向に伸び、その上部が主材４１から突出している。また係留具１１の中央板１５と傾斜板１７は、個々にラグスクリュー２１、２３と接触している。さらに補強材５１は、一山クレビス３１と支点ピン３３を介して係留具１１に取り付けられ、主材４１に対して自在に揺動可能である。
【００３５】
この状態において、補強材５１に引張荷重（補強材５１を図の右上に引っ張る荷重）が作用すると、図の左側の外側ラグスクリュー２３には、引き抜き方向に荷重が作用するが、これは凸条２５全域を介して主材４１に伝達されるため、応力が局地的に集中することはない。さらに図の右側の外側ラグスクリュー２３には、押圧方向に荷重が作用するが、これも凸条２５全域を介して主材４１に伝達される。そのため、内側ラグスクリュー２１に作用するせん断荷重が大幅に軽減され、主材４１が木目に沿って引き裂かれることを防止できる。
【００３６】
補強材５１に作用する荷重の方向がどのように変化した場合でも、それを全てのラグスクリュー２１、２３に伝達できるよう、個々のラグスクリュー２１、２３の後端部は、中央板１５や傾斜板１７に接触させる。そのため外側ラグスクリュー２３は、埋め込み深さを正確に調整する。なお、内側ラグスクリュー２１と外側ラグスクリュー２３は、強度上の観点から、できるだけ交角を大きくすることが好ましい。しかし交角を大きくすると、下穴４４の加工が困難になることから、通常は３０度から６０度程度の交角となる。
【００３７】
この図の補強材５１は、支点ピン３３を中心として自在に揺動可能である。しかし補強材５１の反対側についても、同様の方法で固定すると揺動不能になり、補強材５１が筋交いとして機能する。さらに平行に並ぶ二本の主材４１の間に複数本の補強材５１を組み込んでトラスを構築すると、主材４１と補強材５１の配置が固定され、各種構造物として利用することができる。
【００３８】
図４は、補強材５２としてテンションロッドを用いた締結構造を示している。この図では強度を向上するため、一本の内側ラグスクリュー２２と二本の外側ラグスクリュー２３を一組として、これを主材４１の幅方向に二組並べている。これに対応して、係留具１２の接続板１６は、中央に一枚だけの配置となっており、これを基準として左右に底孔１８を設けてある。
【００３９】
この図では、内側ラグスクリュー２２と外側ラグスクリュー２３は同一形状ではない。内側ラグスクリュー２２は、胴部２４全体を埋め込むことから、全長が抑制されているほか、その後端部からオネジ２８が突出しており、これにナット３８を螺合することで、中央板１５を挟み込む。そのため中央板１５の下面は、内側ラグスクリュー２２の頭部２６外縁と接触する。なお外側ラグスクリュー２３については、施工性の観点からオネジ２８のない物を使用しており、上方からボルト３７を差し込む。
【００４０】
この図では、補強材５２としてテンションロッドを用いている。テンションロッドは柔軟性があるため、圧縮荷重やせん断荷重の伝達は難しく、常に引張荷重が作用するよう、長さを調整する。また補強材５２を係留具１２に取り付ける接合手段として、二山クレビス３２と支点ピン３３を用いている。二山クレビス３２は補強材５２と一体化している。
【００４１】
図５は、図４の各要素を組み上げた状態を示している。係留具１２は、計六本のラグスクリュー２２、２３と接触しており、また補強材５２は、二山クレビス３２と支点ピン３３を介して係留具１２に取り付けられている。そして図の上方に描くように、主材４１と補強材５２の交角が小さい場合、補強材５２に作用する引張荷重は、主に外側ラグスクリュー２３で受け止められる。対して図の下方に描くように、交角が大きい場合、引張荷重は、全てのラグスクリュー２２、２３で分担して受け止められる。
【００４２】
図６は、傾斜板１７が片側一枚だけの係留具１３を示している。この図のように、係留具１３を柱６０に隣接して配置する場合などには、外側ラグスクリュー２３を「ハ」の字状に配置できないことがある。これに対応して傾斜板１７についても、片側一枚だけとすることもある。なおこの係留具１３においても、傾斜板１７以外は、図１の係留具１１と同じ構成で、主材４１に内側ラグスクリュー２１と外側ラグスクリュー２３の両方を埋め込む点や、一山クレビス３１を介して補強材５１を取り付ける点も図１と同じである。
【００４３】
図７は、補強材５２を二方向に配置した場合を示している。この図では、異なる方向に伸びる二本の補強材５２を取り付けるため、接合手段として二山クレビス３２と支点ピン３３のほか、プレート３４を用いている。プレート３４は三角形状で、その下部に支点ピン３３を差し込み、さらに左右両側に二山クレビス３２を取り付ける。なお係留具１１は、図１と同じ物で、主材４１には内側ラグスクリュー２１と外側ラグスクリュー２３を埋め込んである。
【符号の説明】
【００４４】
１１  係留具（接続板が二枚）
１２  係留具（接続板が一枚）
１３  係留具（傾斜板が片側のみ）
１５  中央板
１６  接続板
１７  傾斜板
１８  底孔
１９  ピン孔
２１  内側ラグスクリュー（メネジのあるもの）
２２  内側ラグスクリュー（オネジのあるもの）
２３  外側ラグスクリュー
２４  胴部
２５  凸条
２６  頭部
２７  メネジ
２８  オネジ
３１  一山クレビス（接合手段）
３２  二山クレビス（接合手段）
３３  支点ピン（接合手段）
３４  プレート（接合手段）
３７  ボルト
３８  ナット
４１  主材
４３  下穴（内側ラグスクリュー用）
４４  下穴（外側ラグスクリュー用）
５１  補強材（木製）
５２  補強材（テンションロッド）
５５  ネジ釘
６０  柱
【図１】
2015166520.tif 000003
【図２】
2015166520.tif 000004
【図３】
2015166520.tif 000005
【図４】
2015166520.tif 000006
【図５】
2015166520.tif 000007
【図６】
2015166520.tif 000008
【図７】
2015166520.tif 000009